(57)【要約】【課題】  メッセージの通知の通信時間を短縮することができるメッセージ通知システムを提供する。【解決手段】  本発明は、受信装置３から送信装置２に同一のアルゴリズムを有するメッセージ破棄プログラムを送信し、両装置にメッセージ破棄プログラムを備える。そして、このメッセージ破棄プログラムによりＩＤ、メッセージ及び利用頻度を関連付けて記憶するメッセージ記憶部を管理し、メッセージ本体ではなくＩＤを送信することによりメッセージを通知することを可能とする。【選択図】図１
2006254062.tif 000002
【特許請求の範囲】
【請求項１】
メッセージを送信する送信装置と、
前記送信装置から送信されたメッセージを受信する受信装置とを具備するメッセージ通知システムにおいて、
前記送信装置は、
メッセージと、前記メッセージの識別情報とを関連付けて記憶する第１のテーブルと、
前記メッセージを受信する第１の受信手段と、
前記受信したメッセージが前記第１のテーブルに存在するか否かを判断する第１の判断手段と、
前記第１の判断手段により存在すると判断された場合に、前記受信したメッセージに対応する識別情報を前記受信装置に送信する送信手段とを具備し、
前記受信装置は、
メッセージと、前記メッセージの識別情報とを関連付けて記憶する第２のテーブルと、
前記送信装置から送信された識別情報を受信する第２の受信手段と、
前記受信した識別情報が前記第２のテーブルに存在するか否かを判断する第２の判断手段と、
前記第２の判断手段により存在すると判断された場合に、前記受信した識別情報に対応するメッセージを提示する提示手段と
を具備することを特徴とするメッセージ通知システム。
【請求項２】
前記送信装置は、
前記第１の判断手段により存在しないと判断された場合に、前記受信したメッセージに対応する識別情報を生成する手段と、
前記受信したメッセージと、前記生成された識別情報とを前記第１のテーブルに格納する手段とをさらに具備し、
前記送信手段は、前記第１の判断手段により存在しないと判断された場合に、前記受信したメッセージと、前記生成された識別情報とを送信し、
前記受信装置は、
前記第２の受信手段が前記送信装置から送信されたメッセージをさらに受信し、
前記第２の判断手段により存在しないと判断された場合に、前記受信したメッセージと、識別情報とを前記第２のテーブルに格納する手段をさらに具備し、
前記提示手段は、前記第２の判断手段により存在しないと判断された場合に、前記受信したメッセージを提示することを特徴とする請求項１記載のメッセージ通知システム。
【請求項３】
前記送信装置は、
前記第１の判断手段により存在しないと判断された場合に、所定の基準にしたがって、前記第１のテーブルに格納されたメッセージと識別情報との組を削除する第１の削除手段をさらに具備し、
前記受信装置は、
前記第２の判断手段により存在しないと判断された場合に、前記所定の基準にしたがって、前記第２のテーブルに格納されたメッセージと識別情報との組を削除する第２の削除手段をさらに具備することを特徴とする請求項２記載のメッセージ通知システム。
【請求項４】
メッセージと、前記メッセージの識別情報とを関連付けて記憶するテーブルと、
メッセージを受信する受信手段と、
前記受信したメッセージが前記テーブルに存在するか否かを判断する判断手段と、
前記判断手段により存在すると判断された場合に、前記受信したメッセージに対応する識別情報を受信装置に送信する送信手段と
を具備することを特徴とするメッセージ送信装置。
【請求項５】
前記判断手段により存在しないと判断された場合に、前記受信したメッセージに対応する識別情報を生成する手段と、
前記受信したメッセージと、前記生成された識別情報とを前記テーブルに格納する手段とをさらに具備し、
前記送信手段は、前記判断手段により存在しないと判断された場合に、前記受信したメッセージと、前記生成された識別情報とを送信することを特徴とする請求項４記載のメッセージ送信装置。
【請求項６】
前記判断手段により存在しないと判断された場合に、所定の基準にしたがって、前記テーブルに格納されたメッセージと識別情報との組を削除する手段をさらに具備することを特徴とする請求項５記載のメッセージ送信装置。
【請求項７】
前記所定の基準は、前記メッセージの使用時刻に基づくことを特徴とする請求項６記載のメッセージ送信装置。
【請求項８】
前記所定の基準は、前記メッセージの利用頻度に基づくことを特徴とする請求項６記載のメッセージ送信装置。
【請求項９】
前記送信装置における削除手段は、第１のプログラムにより実現され、
前記第１のプログラムは、前記受信装置における削除手段を実現する第２のプログラムと同一のアルゴリズムを有するプログラムであることを特徴とする請求項６記載のメッセージ送信装置。
【請求項１０】
前記第１のプログラムは、前記受信装置から送信されたプログラムであることを特徴とする請求項９記載のメッセージ送信装置。
【請求項１１】
メッセージと、前記メッセージの識別情報とを関連付けて記憶するテーブルと、
送信装置から送信された識別情報を受信する受信手段と、
前記受信した識別情報が前記テーブルに存在するか否かを判断する判断手段と、
前記判断手段により存在すると判断された場合に、前記受信した識別情報に対応するメッセージを提示する提示手段と
を具備することを特徴とするメッセージ受信装置。
【請求項１２】
前記受信手段が前記送信装置から送信されたメッセージをさらに受信し、
前記判断手段により存在しないと判断された場合に、前記受信したメッセージと、識別情報とを前記テーブルに格納する手段をさらに具備し、
前記提示手段は、前記判断手段により存在しないと判断された場合に、前記受信したメッセージを提示することを特徴とする請求項１１記載のメッセージ受信装置。
【請求項１３】
前記判断手段により存在しないと判断された場合に、前記所定の基準にしたがって、前記テーブルに格納されたメッセージと識別情報との組を削除する手段をさらに具備することを特徴とする請求項１２記載のメッセージ受信装置。
【請求項１４】
前記所定の基準は、前記メッセージの使用時刻に基づくことを特徴とする請求項１３記載のメッセージ受信装置。
【請求項１５】
前記所定の基準は、前記メッセージの利用頻度に基づくことを特徴とする請求項１３記載のメッセージ受信装置。
【請求項１６】
前記送信装置における削除手段は、第１のプログラムにより実現され、
前記第１のプログラムは、前記受信装置における削除手段を実現する第２のプログラムと同一のアルゴリズムを有するプログラムであることを特徴とする請求項１３記載のメッセージ受信装置。
【請求項１７】
前記第１のプログラムは、前記受信装置から送信されたプログラムであることを特徴とする請求項１６記載のメッセージ受信装置。
【請求項１８】
コンピュータを請求項４乃至請求項１０のいずれか１項に記載のメッセージ送信装置における各手段として機能させるためのメッセージ送信プログラム。
【請求項１９】
コンピュータを請求項１１乃至請求項１７のいずれか１項に記載のメッセージ受信装置における各手段として機能させるためのメッセージ受信プログラム。
【発明の詳細な説明】
【技術分野】
【０００１】
本発明は、センサデータなどのデータを受信した送信装置が当該データをメッセージとして受信装置に送信するメッセージ通知システムに関する。
【背景技術】
【０００２】
従来より、センシングデータやその他の定型文をメッセージとして通知するメッセージ通知システムが存在する。このようなメッセージ通知システムの一例として、マネージャとエージェントとの間におけるメッセージ通知システムにおいて、エージェントからメッセージの識別番号を送信すると、マネージャから当該識別番号に対応するメッセージをエージェントに返すシステムがある（特許文献１参照。）
【０００３】
【特許文献１】特開平１０−３０３９５３号公報
【発明の開示】
【発明が解決しようとする課題】
【０００４】
しかしながら、従来のメッセージ通知システムでは、同一内容のメッセージを複数送信する場合であっても、メッセージ内容を送る必要があることから、メッセージの通知に多くの通信時間がかかってしまうという問題があった。
本発明は、上記実情に鑑みてなされたものであり、メッセージの通知の通信時間を短縮することができるメッセージ通知システムを提供することを目的とする。
【課題を解決するための手段】
【０００５】
上記目的を達成するために、本発明の第１の発明によれば、メッセージを送信する送信装置と、前記送信装置から送信されたメッセージを受信する受信装置とを具備するメッセージ通知システムにおいて、前記送信装置は、メッセージと、前記メッセージの識別情報とを関連付けて記憶する第１のテーブルと、前記メッセージを受信する第１の受信手段と、
前記受信したメッセージが前記第１のテーブルに存在するか否かを判断する第１の判断手段と、前記第１の判断手段により存在すると判断された場合に、前記受信したメッセージに対応する識別情報を前記受信装置に送信する送信手段とを具備し、前記受信装置は、メッセージと、前記メッセージの識別情報とを関連付けて記憶する第２のテーブルと、前記送信装置から送信された識別情報を受信する第２の受信手段と、前記受信した識別情報が前記第２のテーブルに存在するか否かを判断する第２の判断手段と、前記第２の判断手段により存在すると判断された場合に、前記受信した識別情報に対応するメッセージを提示する提示手段とを具備することを特徴とするメッセージ通知システム、である。
【０００６】
また、第２の発明によれば、第１の発明において、前記送信装置は、前記第１の判断手段により存在しないと判断された場合に、前記受信したメッセージに対応する識別情報を生成する手段と、前記受信したメッセージと、前記生成された識別情報とを前記第１のテーブルに格納する手段とをさらに具備し、前記送信手段は、前記第１の判断手段により存在しないと判断された場合に、前記受信したメッセージと、前記生成された識別情報とを送信し、前記受信装置は、前記第２の受信手段が前記送信装置から送信されたメッセージをさらに受信し、前記第２の判断手段により存在しないと判断された場合に、前記受信したメッセージと、識別情報とを前記第２のテーブルに格納する手段をさらに具備し、前記提示手段は、前記第２の判断手段により存在しないと判断された場合に、前記受信したメッセージを提示することを特徴とするメッセージ通知システム、である。
【０００７】
さらに、本発明の第３の発明によれば、第２の発明において、前記送信装置は、前記第１の判断手段により存在しないと判断された場合に、所定の基準にしたがって、前記第１のテーブルに格納されたメッセージと識別情報との組を削除する第１の削除手段をさらに具備し、前記受信装置は、前記第２の判断手段により存在しないと判断された場合に、前記所定の基準にしたがって、前記第２のテーブルに格納されたメッセージと識別情報との組を削除する第２の削除手段をさらに具備することを特徴とするメッセージ通知システム、である。
さらに、本発明の第４の発明によれば、メッセージと、前記メッセージの識別情報とを関連付けて記憶するテーブルと、メッセージを受信する受信手段と、前記受信したメッセージが前記テーブルに存在するか否かを判断する判断手段と、前記判断手段により存在すると判断された場合に、前記受信したメッセージに対応する識別情報を受信装置に送信する送信手段とを具備することを特徴とするメッセージ送信装置、である。
さらに、本発明の第５の発明によれば、メッセージと、前記メッセージの識別情報とを関連付けて記憶するテーブルと、送信装置から送信された識別情報を受信する受信手段と、前記受信した識別情報が前記テーブルに存在するか否かを判断する判断手段と、前記判断手段により存在すると判断された場合に、前記受信した識別情報に対応するメッセージを提示する提示手段とを具備することを特徴とするメッセージ受信装置、である。
【発明の効果】
【０００８】
本発明によれば、メッセージの通知の通信時間を短縮することができるメッセージ通知システムを提供することができる。
【発明を実施するための最良の形態】
【０００９】
以下、図面を参照して、本発明の実施の形態に係るメッセージ通知システムについて説明する。
図１は、本発明の実施の形態に係るメッセージ通知システムの構成を示す図である。
同図に示すように、メッセージ通知システムは、センサ１、送信装置２、受信装置３及び提示装置４を具備している。
【００１０】
送信装置２は、センサ１からセンシングデータであるメッセージを受け取り、メッセージの識別情報或いはメッセージ及び識別情報の組を受信装置３に送信する。受信装置３は、送信装置２から送信されたメッセージ及び識別情報から復元されたメッセージを提示装置４に出力する。提示装置４は、受信装置から送信されたメッセージを提示する。
【００１１】
図２は、送信装置の機能を示すブロック図である。
同図に示すように、送信装置は、メッセージ破棄プログラム受信部１１、メッセージ破棄プログラム記憶部１２、メッセージ破棄プログラム実行部１３、メッセージ記憶部１４、メッセージ読み取り部１５、メッセージＩＤ生成部１６、メッセージ本文送信判断部１７、メッセージＩＤ送信部１８及びメッセージＩＤ＋本文送信部１９を具備している。
【００１２】
メッセージ破棄プログラム受信部１１は、受信装置３から送信されたメッセージ破棄プログラムを受信し、この受信したメッセージ破棄プログラムをメッセージ破棄プログラム記憶部１２へ格納する。
メッセージ破棄プログラム実行部１３は、メッセージ破棄プログラム記憶部１２に記憶されたメッセージ破棄プログラムを実行する。このメッセージ破棄プログラムの動作については、後述する。
【００１３】
メッセージ記憶部１４は、メッセージの識別情報（ＩＤ）２１、メッセージ２２及びメッセージ２２の利用頻度２３を示す情報を互いに関連付けて記憶する。
メッセージ読み取り部１５は、センサ１からメッセージを読み取り、メッセージＩＤ生成部１６に送信する。
【００１４】
メッセージＩＤ生成部１６は、メッセージ読み取り部１５から送信されたメッセージをキーとしてメッセージ記憶部１４を検索する。そして、メッセージが見つかった場合には、対応するＩＤをメッセージ本文送信判断部１７に送信する。一方、メッセージが見つからなかった場合には、メッセージ記憶部１４に格納されているＩＤと重複しない最小のＩＤを生成し、メッセージ及びＩＤをメッセージ本文送信判断部１７及びメッセージ破棄プログラム実行部１３に送信する。
【００１５】
メッセージ破棄プログラム実行部１３によって実行されるメッセージ破棄プログラムが、メッセージＩＤ生成部１６から送信されたメッセージ及びＩＤを受け取ると、メッセージ破棄プログラムに記述されたアルゴリズムにしたがって、メッセージ記憶部１４に記憶されたＩＤ、メッセージ及び利用頻度の複数の組のうち、１つの組を削除する。ここでは、メッセージ記憶部１４に記憶されたＩＤ、メッセージ及び利用頻度の複数の組のうち、最も利用頻度の少ない１つの組を選択し、当該選択されたＩＤ、メッセージ及び利用頻度の組を削除するものとする。
【００１６】
なお、ここでは利用頻度を基に削除する組を選択する場合について説明するが、削除する組の選択の方法はこれに限られるものではない。例えば、メッセージ記憶部１４に利用頻度を示す情報に代えて、対応するメッセージを使用した時刻情報を格納して、組を削除する際には、最も使用時刻が古い１つの組を選択するようにしてもよい。
【００１７】
メッセージ破棄プログラム実行部１３は、メッセージなどを削除した後、メッセージＩＤ生成部１６から受け取ったＩＤ及びメッセージの組をメッセージ記憶部１４に記憶する。このようにメッセージなどの組を削除するのは、メッセージ記憶部１４の記憶容量に限度があるため、常により有効なメッセージを保存しておくことにより、有効に通信量を削減して通信時間の短縮を図るためである。
【００１８】
メッセージ本文送信判断部１７は、メッセージＩＤ生成部１６からＩＤのみを受け取ったときは、メッセージＩＤ送信部１８を介して当該ＩＤを受信装置に送信する。ＩＤ及びメッセージを受け取ったときは、メッセージＩＤ＋本文送信部１９を介して、当該ＩＤ及びメッセージを受信装置に送信する。
【００１９】
図３は、受信装置の機能を示すブロック図である。
同図に示すように、受信装置は、メッセージ破棄プログラム記憶部３１、メッセージ破棄プログラム送信部３２、メッセージ受信部３３、メッセージ破棄プログラム実行部３４、メッセージ記憶部３５及びメッセージ復元部３６を具備している。
【００２０】
メッセージ破棄プログラム記憶部３１は、メッセージ破棄プログラムを記憶する。
メッセージ破棄プログラム送信部３２は、システムの起動時に、メッセージ破棄プログラム記憶部３１からメッセージ破棄プログラムを読み出し送信装置２へ送信する。
メッセージ受信部３３は、送信装置から送信されたＩＤ或いはＩＤ及びメッセージの組を受信する。そして、ＩＤのみを受信した場合には、当該ＩＤをメッセージ復元部３６に送る。ＩＤ及びメッセージの組を受信した場合には、当該メッセージを提示装置４に送信することにより表示させるとともに、ＩＤ及びメッセージの組をメッセージ破棄プログラム実行部３４に送る。
【００２１】
メッセージ破棄プログラム実行部３４は、メッセージ破棄プログラム記憶部３１に記憶されたメッセージ破棄プログラムを実行する。メッセージ破棄プログラムは、メッセージ受信部３３から送られたＩＤ及びメッセージの組を受信し、送信装置と同じアルゴリズムにしたがってメッセージ記憶部３５に記憶されたＩＤ、メッセージ及び利用頻度の複数の組のうち、１つの組を削除する。ここでは、メッセージ記憶部３５に記憶されたＩＤ、メッセージ及び利用頻度の複数の組のうち、最も利用頻度の少ない１つの組を選択し、当該選択されたＩＤ、メッセージ及び利用頻度の組を削除するものとする。
【００２２】
メッセージ破棄プログラム実行部３４は、メッセージなどを削除した後、メッセージ受信部３３から受け取ったＩＤ、メッセージ及び利用頻度の組をメッセージ記憶部３５に記憶する。
メッセージ記憶部３５は、メッセージの識別情報（ＩＤ）４１、メッセージ４２及びメッセージ４２の利用頻度４３を示す情報を互いに関連付けて記憶する。
【００２３】
メッセージ復元部３６は、受信したＩＤをキーとしてメッセージ記憶部３５を検索することによりメッセージを得て提示装置４に送信して当該メッセージを表示させる。
次に、本発明の実施の形態に係るメッセージ通知システムの動作について説明する。
【００２４】
まず、前提となるシステム起動時の動作について説明する。
システム起動時には、送信装置２のメッセージ記憶部１４及びメッセージ破棄プログラム記憶部１２は空である。受信装置３のメッセージ記憶部３５は空であり、メッセージ破棄プログラム記憶部３１にはメッセージ破棄プログラムが記憶されている。
【００２５】
受信装置３のメッセージ破棄プログラム送信部３２は、メッセージ破棄プログラム記憶部３１からメッセージ破棄プログラムを読み出し送信装置へ送信する。送信装置２は、受信装置３から送信されたメッセージ破棄プログラムをメッセージ破棄プログラム受信部１１で受け取り、メッセージ破棄プログラム記憶部１２に格納する。
【００２６】
次に、送信装置の動作について、図４のフローチャートを参照して説明する。
まず、メッセージ読み取り部１５は、センサ１からメッセージを読み取り（Ｓ１）、メッセージＩＤ生成部１６に送信する。メッセージＩＤ生成部１６は、メッセージ読み取り部１５から送信されたメッセージをキーとしてメッセージ記憶部１４を検索する。この時、メッセージ記憶部１４に格納されている利用頻度が更新される。そして、メッセージが見つかった場合には、対応するＩＤをメッセージ本文送信判断部１７に送信する（Ｓ２，Ｓ３）。
【００２７】
一方、メッセージが見つからなかった場合には、メッセージ記憶部１４に格納されているＩＤと重複しない最小のＩＤを生成し（Ｓ２，Ｓ４）、メッセージ及びＩＤをメッセージ本文送信判断部１７及びメッセージ破棄プログラム実行部１３に送信する（Ｓ５）。
【００２８】
メッセージ本文送信判断部１７は、メッセージＩＤ生成部１６からＩＤのみを受け取ったときは、メッセージＩＤ送信部１８を介して当該ＩＤを受信装置に送信する。ＩＤ及びメッセージを受け取ったときは、メッセージＩＤ＋本文送信部１９を介して、当該ＩＤ及びメッセージを受信装置に送信する。
【００２９】
メッセージ破棄プログラム実行部１３はメッセージ破棄プログラムを実行し（Ｓ６）、メッセージ記憶部１４に記憶されたＩＤ、メッセージ及び利用頻度の複数の組のうち、１つの組を削除する。
メッセージ破棄プログラム実行部１３は、メッセージなどを削除した後、メッセージＩＤ生成部１６から受け取ったＩＤ、メッセージ及び利用頻度の組をメッセージ記憶部１４に記憶し（Ｓ７）、Ｓ１の処理に戻る。
【００３０】
次に、受信装置の動作について、図５のフローチャートを参照して説明する。
メッセージ受信部３３は、送信装置から送信されたＩＤ或いはＩＤ及びメッセージの組を受信する（Ｓ１１）。その後、受信したデータにメッセージが含まれるか否かの判断が行なわれ（Ｓ１２）、含まれていないと判断された場合には、メッセージ復元部３６は、受信したＩＤをキーとしてメッセージ記憶部３５を検索することによりメッセージを得る（Ｓ１３）。この時、メッセージ記憶部３５に格納された利用頻度も更新される。
【００３１】
Ｓ１３においてメッセージを得た後、或いはＳ１２において受信したデータにメッセージが含まれていると判断された後に、メッセージ破棄プログラム実行部３４により、メッセージ破棄プログラム記憶部３１に記憶されたメッセージ破棄プログラムが実行される（Ｓ１４）。
【００３２】
メッセージ破棄プログラムは、メッセージ受信部３３から送られたＩＤ及びメッセージの組を受信し、送信装置と同じアルゴリズムにしたがってメッセージ記憶部３５に記憶されたＩＤ、メッセージ及び利用頻度の複数の組のうち、１つの組を削除する。ここでは、メッセージ記憶部３５に記憶されたＩＤ、メッセージ及び利用頻度の複数の組のうち、最も利用頻度の少ない１つの組を選択し、当該選択されたＩＤ、メッセージ及び利用頻度の組を削除するものとする。
【００３３】
その後、メッセージ破棄プログラム実行部３４は、メッセージなどを削除した後、メッセージ受信部３３から受け取ったＩＤ及びメッセージの組をメッセージ記憶部３５に記憶する（Ｓ１５）。その後、メッセージが提示装置４に送られて表示される（Ｓ１６）。
【００３４】
図６及び図７は、本発明の実施の形態に係るメッセージ通知システムの動作を説明するための図である。
システム起動時には、送信装置２のメッセージ記憶部１４及び受信装置３のメッセージ記憶部３５は空である（Ｔ１−１，Ｔ２−１）。その後、センサ１から「火災」のメッセージが送信装置２に入力されると、送信装置２のメッセージ記憶部１４には、ＩＤ「１」と共に、メッセージ「火災」が記憶され（Ｔ１−２）、ＩＤ「１」及びメッセージ「火災」の組が受信装置３に送信される。
【００３５】
受信装置３がＩＤ「１」及びメッセージ「火災」の組を受信して、メッセージ記憶部３５にＩＤ「１」及びメッセージ「火災」の組が格納される（Ｔ２−２）。
その後、センサ１から「降雨」のメッセージが送信装置２に入力されると、送信装置２のメッセージ記憶部１４には、ＩＤ「２」と共に、メッセージ「降雨」が記憶され（Ｔ１−３）、ＩＤ「２」及びメッセージ「降雨」の組が受信装置３に送信される。
【００３６】
受信装置３がＩＤ「２」及びメッセージ「降雨」の組を受信して、メッセージ記憶部３５にＩＤ「２」及びメッセージ「降雨」の組が格納される（Ｔ２−３）。
センサ１から「火災」のメッセージが送信装置２に入力されると、送信装置２のメッセージ記憶部１４には、すでに「火災」のメッセージが存在することから、当該メッセージに対応するＩＤ「１」が受信装置３に送信される（Ｔ１−４）。この際、ＩＤ「１」に関連付けられている利用頻度も更新される。
【００３７】
受信装置３は、当該ＩＤを受信して（Ｔ２−４）、このＩＤからメッセージを得る。その後、送信装置２にセンサ１から「積雪」のメッセージが送信装置２に入力されると（Ｔ１−５）、最も利用頻度の少ない項目（ここでは、メッセージ「降雨」が利用頻度が少ないものとする。）が削除される（Ｔ１−６）。
【００３８】
そして、送信装置２からＩＤ「３」及びメッセージ「積雪」の組が受信装置３に送信される（Ｔ１−７）。受信装置３は、ＩＤ「３」及びメッセージ「積雪」の組を受信し（Ｔ２−５）、送信装置と同様のアルゴリズムでメッセージ記憶部１４の内容を更新する（Ｔ２−６）。
【００３９】
したがって、本発明の実施の形態に係るメッセージ通知システムによれば、同一のメッセージを重複して送る必要がないので、通信時間を短縮することができる。また、同一のアルゴリズムを有するプログラムを受信装置から送信装置に送ることにより、メッセージ記憶部の内容を常に送信装置及び受信装置で同じに保つことができる。
【００４０】
さらに、メッセージ記憶部に記憶されるメッセージを所定のアルゴリズムにしたがって削除するので、メッセージ記憶部の容量が少なくとも済むという効果がある。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４１】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【図面の簡単な説明】
【００４２】
【図１】本発明の実施の形態に係るメッセージ通知システムの構成を示す図である。
【図２】送信装置の機能を示すブロック図である。
【図３】受信装置の機能を示すブロック図である。
【図４】送信装置の動作について説明するためのフローチャートである。
【図５】受信装置の動作について説明するためのフローチャートである。
【図６】本発明の実施の形態に係るメッセージ通知システムの動作を説明するための図である。
【図７】本発明の実施の形態に係るメッセージ通知システムの動作を説明するための図である。
【符号の説明】
【００４３】
１…センサ、２…送信装置、３…受信装置、４…提示装置、１１…メッセージ破棄プログラム受信部、１２…メッセージ破棄プログラム記憶部、１３…メッセージ破棄プログラム実行部、１４…メッセージ記憶部、１５…メッセージ読み取り部、１６…メッセージＩＤ生成部、１７…メッセージ本文送信判断部、１８…メッセージＩＤ送信部、１９…メッセージＩＤ＋本文送信部、３１…メッセージ破棄プログラム記憶部、３２…メッセージ破棄プログラム送信部、３３…メッセージ受信部、３４…メッセージ破棄プログラム実行部、３５…メッセージ記憶部、３６…メッセージ復元部。
【図１】
2006254062.tif 000003
【図２】
2006254062.tif 000004
【図３】
2006254062.tif 000005
【図４】
2006254062.tif 000006
【図５】
2006254062.tif 000007
【図６】
2006254062.tif 000008
【図７】
2006254062.tif 000009